(57)【要約】【課題】本発明は、生産コストが低く、より薄く、且つ継目無しに連接されている表示装置を提供することを目的とする。【解決手段】本発明に係る表示装置は、映像処理ユニット、表示部品及びレンズ層を備える。映像処理ユニットは、表示部品に映像信号を出力し、表示部品は、相互に一体に連接されている少なくとも２つの表示パネルを含み、少なくとも２つの表示パネルは、共同で映像信号に対応する画面を表示し、隣り合う２つの表示パネルの間には、間隙が形成され、レンズ層は、表示部品の外面に貼り付けられ、レンズ層の表示部品から離間している表面には、複数の凸部が間隔をあけて設けられ、隣り合う２つの凸部の間には、１つの凹部が形成され、間隙は、１つの凹部に対応して位置する。【選択図】図２
2016053705.tif 000002
【特許請求の範囲】
【請求項１】
映像処理ユニット、表示部品及びレンズ層を備える表示装置であって、
前記映像処理ユニットは、前記表示部品に映像信号を出力し、前記表示部品は、相互に一体に連接された少なくとも２つの表示パネルを含み、前記少なくとも２つの表示パネルは、共同で前記映像信号に対応する画面を表示し、
隣り合う２つの表示パネルの間には、間隙が形成され、前記レンズ層は、前記表示部品の外面に貼り付けられ、前記レンズ層の前記表示部品から離間している表面には、複数の凸部が間隔をあけて設けられ、隣り合う２つの凸部の間には、１つの凹部が形成され、前記間隙は、１つの前記凹部に対応して位置することを特徴とする表示装置。
【請求項２】
前記表示装置は、回路基板をさらに備え、前記映像処理ユニットは、前記回路基板に設けられ、
前記映像処理ユニットは、表示しようとする映像を複数のフレーム画面に分割し、各フレーム画面は、複数の第一画面ユニット及び複数の第二画面ユニットを含み、前記第一画面ユニット及び前記第二画面ユニットは、交互に配列されていることを特徴とする請求項１に記載の表示装置。
【請求項３】
前記映像処理ユニットは、映像を処理する際、処理される映像を複数のフレーム画面に分割した後、各フレーム画面を複数の第一画面ユニット及び各第一画面ユニットに隣接する複数の第二画面ユニットに分割し、
その後、前記映像処理ユニットは、前記第二画面ユニットに対応する画像を除去し、且つ各第一画面ユニットに対応する画像を各第一画面ユニットに隣接する第二画面ユニットに複製し、これにより、各フレーム画面は、複数の前記第一画面ユニットの画像のみを表示することを特徴とする請求項２に記載の表示装置。
【請求項４】
前記第一画面ユニットと前記第二画面ユニットとの幅は、それぞれ前記表示装置の１つの画素の幅に対応し、
前記第一画面ユニットとそれに隣接する前記第二画面ユニットとの幅の和は、１つの前記凸部の幅に等しいことを特徴とする請求項２に記載の表示装置。
【請求項５】
前記表示部品は、第一表示パネル及び第二表示パネルを含み、前記第一表示パネル及び前記第二表示パネルは、共同で１つの完全なフレーム画面を表示し、
前記第一表示パネルは、前記フレーム画面の第一部分を表示し、前記第二表示パネルは、同一フレーム画面の第二部分を表示し、
前記間隙は、前記第一部分の一端の第二ユニットと前記第二ユニットに隣接する前記第二部分の一端の第一ユニットとの接続部位に形成されることを特徴とする請求項２に記載の表示装置。
【請求項６】
前記凸部とその左右両側の前記凹部との間の幅は、０．０１ｍｍ〜３０ｍｍであり、前記レンズ層の前記表示部品に接触する表面から前記凹部までの厚さは、０．０１ｍｍ〜３０ｍｍであることを特徴とする請求項１に記載の表示装置。
【請求項７】
前記凸部は、半円柱状を呈し、複数の前記凸部は、等間隔に平行に設けられていることを特徴とする請求項１に記載の表示装置。
【請求項８】
前記隙間の幅は、２．０ｍｍ以下であることを特徴とする請求項１に記載の表示装置。
【発明の詳細な説明】
【技術分野】
【０００１】
本発明は、表示装置に関し、特に複数の液晶表示パネルが互いに継目無しに連接されて形成された表示装置に関するものである。
【背景技術】
【０００２】
現在、電子技術の発展に伴って、液晶表示パネル、プラズマスクリーン又は有機発光ディスプレイ（ＯＬＥＤ）等のフラット型表示装置の表示パネルのサイズは大型化しており、消費者の表示パネルの視覚効果に対する要求も益々高くなっている。即ち、大型で且つ立体感を有する表示パネルが好まれている。このような消費者の要求を満たすために、製造者は、通常、複数枚の中型の液晶表示パネルを互いに連接し固定して、大型の液晶表示装置を形成し、且つ複数の液晶表示パネルの間の間隙を遮光層中に設けて、最も外側のプリズムを用いて平行光を拡散させることで上記の間隙を遮蔽する。又は、上記の複数枚の中型サイズの液晶表示パネルを台形に形成して、その上に大きいサイズの表示パネルを重ね合わせて、角度補償によって間隙を最小化する。しかし、前者の方法は、生産コストが高く、歩留まりが低い等の欠点を有する。後者の方法で得る表示装置は、比較的厚く、表示装置の軽薄化の発展傾向に合わない。従って、フラット型表示装置に対する継目無しに連接させる技術の更なる発展が期待されている。
【発明の概要】
【発明が解決しようとする課題】
【０００３】
本発明は、上記の問題点を考慮してなされたものであり、生産コストが低く、より薄く、且つ継目無しに連接されて形成された表示装置を提供することを目的とする。
【課題を解決するための手段】
【０００４】
上記の課題を解決するために、本発明に係る表示装置は、映像処理ユニット、表示部品及びレンズ層を備える。映像処理ユニットは、表示部品に映像信号を出力し、表示部品は、相互に一体に連接されている少なくとも２つの表示パネルを含み、少なくとも２つの表示パネルは、共同で映像信号に対応する画面を表示し、隣り合う２つの表示パネルの間には、間隙が形成され、レンズ層は、表示部品の外面に貼り付けられ、レンズ層の表示部品から離間している表面には、複数の凸部が間隔をあけて設けられ、隣り合う２つの凸部の間には、１つの凹部が形成され、間隙は、１つの凹部に対応して位置する。
【発明の効果】
【０００５】
従来の技術と異なり、本発明の表示装置は、少なくとも２つの表示パネルを備え、隣り合う２つの表示パネルの間には、間隙が形成されている。本発明は、表示装置の映像処理ユニットを介して表示しようとする映像の各フレーム画面を分割し、且つ表示パネルの外面にレンズ層を貼り付けて、前記レンズ層の表示パネルに接触する側と反対側の表面に複数の凹部を設けて、各間隙を各凹部に対応させるように設ける。これにより、間隙からの光線は、凹部において屈折されず、ユーザの目に入射しない。又は、間隙からの光線は、凹部において隣り合う２つの表示パネルの光線によって遮蔽され、且つ間隙の光線は凹部の光線と連続するので、ユーザの目に錯覚が生じて、ユーザには間隙が見えなくなる。従って、本発明は、超大型のサイズの表示装置を製造でき、生産コストを低減し、製造歩留まりを高めることができ、且つ表示装置の軽薄化を確保することができる。
【図面の簡単な説明】
【０００６】
【図１】本発明の実施形態に係る表示装置の機能モジュールを示す図である。
【図２】本発明の実施形態に係る表示装置の動作原理を示す図である。
【図３】図２に示した表示装置のレンズ層の斜視図である。
【発明を実施するための形態】
【０００７】
以下、図面を参照しながら、本発明の実施形態について詳細に説明する。
【０００８】
図１に示すように、本発明の実施形態に係る表示装置１００は、平板及び平面型ディスプレイ等であるが、これらに限定されない。具体的には、表示装置１００は、映像処理ユニット１０、表示部品３０及びレンズ層５０を備える。映像処理ユニット１０は、再生しようとする映像を分割して集めた後、処理された後の映像の信号を表示部品３０に伝送して、表示部品３０により映像を表示させる。表示部品３０が発する光線は、レンズ層５０によって屈折されて、ユーザの目に入射する。
【０００９】
表示装置１００は、回路基板（図示せず）をさらに備える。映像処理ユニット１０は、回路基板に設けられている。
【００１０】
図２に示すように、映像処理ユニット１０は、時間順序に従って、映像を複数のフレーム画面２０に分割する。各フレーム画面２０は、複数の第一画面ユニット２０１及び複数の第二画面ユニット２０３を含む。第一画面ユニット２０１及び第二画面ユニット２０３は、交互に配列されている。各第一画面ユニット２０１及び各第二画面ユニット２０３の幅は、それぞれ表示装置１００の１つの画素の幅に対応する。本実施形態において、表示装置１００の解像度は、１９２０×１０８０である。映像処理ユニット１０が映像を処理する場合、先ず、処理しようとする映像を、時間順序に従って多数のフレーム画面２０に分割する。次に、各フレーム画面２０を、垂直方向に沿って、画面１、画面２、画面３、画面４、画面５、画面６、……、画面１９１９、及び画面１９２０に分割する。その内、画面１、画面３、画面５、……、画面１９１９は、複数の第一画面ユニット２０１が表示する画像と定義される。画面２、画面４、画面６、……、画面１９２０は、複数の第二画面ユニット２０３が表示する画像と定義される。次に、画面１、画面３、画面５、……、画面１９１９を保持し、画面２、画面４、画面６、……、画面１９２０を除去した後、画面１、画面３、画面５、……、画面１９１９を元画面２、４、６、……、１９２０に対応する位置に複製する。これにより、表示装置１００は、画面１、１、３、３、５、５、……、１９１９、１９１９を表示する。即ち、各フレーム画面２０は、複数の第一画面ユニット２０１の画像のみを表示し、複数の第一画面ユニット２０１及びこれらに対応する複数の第二画面ユニット２０３の画像は同じである。従って、ユーザの目に見える画面は同じである。各第一画面ユニット２０１及び各第二画面ユニット２０３の幅は非常に狭いので、フレーム画面２０の全体は、視覚効果において連続しているように見える。
【００１１】
表示部品３０は、少なくとも２つの連接された表示パネルを含み、且つ隣り合う表示パネルの接続部位には、間隙３０５が形成されている。少なくとも２つの連接されている表示パネルは、共同で１つフレームの画面２０を表示する。本実施形態において、表示部品３０は、第一表示パネル３０１及び第二表示パネル３０３を含む。第一表示パネル３０１と第二表示パネル３０３との接続部位には、間隙３０５が形成されている。間隙３０５の延伸方向は、各フレーム画面２０の分割方向と平行である。
【００１２】
第一表示パネル３０１及び第二表示パネル３０３は、共同で１つの完全なフレーム画面２０を表示する。第一表示パネル３０１は、フレーム画面２０の中の一部（これを第一部分と定義する）を表示する。第一部分は、複数の連続した第一画面ユニット２０１及び第二画面ユニット２０３を含む。第二表示パネル３０３は、フレーム画面２０の別の一部（これを第二部分と定義する）を表示する。第二部分も、複数の連続した第一画面ユニット２０１及び第二画面ユニット２０３を含む。これにより、間隙３０５は、第一部分の一端の第二画面ユニット２０３と第二部分の一端の第一画面ユニット２０１との間に形成される。間隙３０５の幅は、２．０ｍｍ以下である。
【００１３】
図３に示すように、レンズ層５０は、表示部品３０のユーザに向かう表面に貼り付けられている。レンズ層５０の表示部品３０に接触する側の反対側の表面（即ち、ユーザに向かう表面）には、柱状レンズアレイ（ラスター）が形成されている。より詳細には、柱状レンズアレイは、間隔をあけて設けられた複数の凸部５０１及び隣り合う２つの凸部５０１の間に形成された凹部５０３を含む。各間隙３０５は、各凹部５０３に対応している。各凸部５０１は、半円柱状を呈する。複数の凸部５０１は、等間隔に平行に設けられている。各凸部５０１の延伸方向は、間隙３０５の延伸方向と同じである。第一画面ユニット２０１とそれに隣接する第二画面ユニット２０３との幅の和は、１つの凸部５０１の幅に等しい。レンズ層５０の曲率半径、レンズ層５０の屈折率、各凸部５０１とその左右両側の凹部５０３との間の幅、及びレンズ層５０の表示部品３０に接触する表面から凹部５０３までの厚さは、表示装置１００の画素の大きさに基づいて変わる。好ましくは、凸部５０１とその左右両側の凹部５０３との間の幅は、０．０１ｍｍ〜３０ｍｍであり、レンズ層５０の表示部品３０に接触する表面から凹部５０３までの厚さは、０．０１ｍｍ〜３０ｍｍである。
【００１４】
図２に示すように、表示装置１００を使用する場合、レンズ層５０の凸部５０１はユーザに向かう。映像処理ユニット１０により処理された後の複数の第一画面ユニット２０１及び複数の第二画面ユニット２０３の画像の信号は、対応する表示パネル３０１又は３０３に入力される。第一画面ユニット２０１に対応する表示エリアが発する光線は、レンズ層５０によって屈折されて、凸部５０１又は凹部５０３を透過して、ユーザの右目に入る。第二画面ユニット２０３に対応する表示エリアが発する光線は、レンズ層５０によって屈折されて、凸部５０１又は凹部５０３を透過して、ユーザの左目に入る。各第一画面ユニット２０１の画面は、それに対応する第二画面ユニット２０３の画面と同じである。従って、複数の第一画面ユニット２０１が共同で構成した画像は、複数の第二画面ユニット２０３が共同で構成した画像と同じである。これにより、ユーザの左目及び右目が見た画像は、同じになる。
【００１５】
ユーザが間隙３０５の真正面に位置する場合、レンズ層５０の屈折機能によって、間隙３０５が発する光線は、凹部５０３内で間隙３０５に隣接する第一画面ユニット２０１及び第二画面ユニット２０３が発する光線によって遮られる。また、レンズ層５０はマトリックスのように重複して配列され、隣り合う凹部５０３の間の間隙は非常に小さく、且つ間隙３０５の幅は非常に狭いので、間隙３０５からの光線と凹部５０３からの光線は、連続している。これにより、ユーザの目には、錯覚が生じ、間隙３０５は遮蔽される。
【００１６】
ユーザが間隙３０５に対面しない場合、間隙３０５に対応する映像の光線は、表示パネル３０１、３０３に対して垂直な方向に沿って、凹部５０３を透過する。これにより、間隙３０５が発する光線は、ユーザの目に入らず、ユーザは間隙３０５が見えない。即ち、本発明の表示装置１００は、隣り合う表示パネルの間の間隙３０５を遮蔽することができる。
【００１７】
また、表示装置１００の解像度を変えない前提の下で、表示パネルの面積を増大させると、レンズ層５０の複数の凹部５０３の間の幅は増大し、光線の屈折角度も相応して増大し、遮蔽できる間隙３０５の幅も増大する。
【符号の説明】
【００１８】
１０  映像処理ユニット
２０  フレーム画面
３０  表示部品
５０  レンズ層
１００  表示装置
２０１  第一画面ユニット
２０３  第二画面ユニット
３０１  第一表示パネル
３０３  第二表示パネル
３０５  間隙
５０１  凸部
５０３  凹部
【図１】
2016053705.tif 000003
【図２】
2016053705.tif 000004
【図３】
2016053705.tif 000005